(57)【要約】      （修正有）【課題】水中を釣り人の意志で遊泳させることができる水中遊泳型コマセ缶を提供する。【解決手段】コマセ缶の胴体は、内部は空洞で、水平断面形状及び垂直断面形状は中心線に対して対称であり、左右両外側に左右ヒレ、上下面に垂直ヒレ、前端に前端開口部、後端に尾部開口部が設けられる。垂直ヒレの上縁及び下縁には、道糸接続ロッドとハリス接続ロッド組立品を勘合固定できる上ロッド勘合溝及び下ロッド勘合溝が設けられる。胴体の前上方部には支点軸が左右対称に埋めこまれ、中央部で突き合わされた位置に上部開口部がある。【選択図】図２
0003164523.tif 000002
【実用新案登録請求の範囲】
【請求項１】
このコマセ缶は、平たい魚に似せた外観形状を呈し、柔軟な素材を用いて一体成形されており、内部はコマセを仕込むために空洞で、前上方部の肉厚内には８支点軸／左右がモールド固定されており、釣り人の意思により水中を波状前進遊泳することのできる外観形状を持たせている考案である。
〔請求項１の考案の詳細説明〕
１胴体は柔らかいシリコンゴム製で上下方向、左右方向とも対称形を呈しており、水中において自ら安定姿勢を保つ特性を持っている。左右両側には、水中抵抗を推進力に変換することができる翼断面を持つ２左右ヒレが設けられ、左右方向の安定性も確保している。また上下対称形の３垂直ヒレ／上下が設けられて方向安定性を確保しており、上辺、下辺ともに操作ロッドを勘合固定のできる４上ロッド勘合溝と５下ロッド勘合溝が設けられている。内部は空洞となっており、６尾部開口部から所要量のコマセを仕込むことができる。前端には７前端開口部が設けられ、シリコンゴムの柔軟性により開口することができ、無負荷時は閉口している。胴体前上方部の肉厚内には、８支点軸／左右が左右対称形の一対でモールド固定されており、中央部で突き合わされている。その突き合わせ位置には９上部開口部が設置されている。この開口部は１４ハリス接続ロッド（胴体部ロッド）の１７回転軸組立品の取付位置となっている。下部には１４ハリス接続ロッド（胴体部ロッド）が抜ける１０下部スリットが設けられている。
【請求項２】
この水中遊泳型コマセ缶を、水中を釣り人の意思で遊泳させハリスを曳き回すことを可能とする、１１道糸接続ロッドと１４ハリス接続ロッド（胴体部ロッド）と１５ハリス接続ロッド（後半部ロッド）と１７回転軸組立品および１８ウェイトの組合せによるリンク機構の考案である。
〔請求項２の考案の詳細説明〕
１１道糸接続ロッドは、１２ハリス接続ロッド組立品に連結されており、胴体上部にある３垂直ヒレ／上の上辺の４上ロッド勘合溝に固定することができる。上端部には、道糸を繋げられる１３道糸接続輪が設けられている。１２ハリス接続ロッド組立品は、１４ハリス接続ロッド（胴体部ロッド）と１５ハリス接続ロッド（後半部ロッド）に分割可能で、１４ハリス接続ロッド（胴体部ロッド）と１１道糸接続ロッドとの１６連結部は長輪状で、１１道糸接続ロッドが前後方向に滑動することが可能となっていて、胴体内に埋め込まれた８支点軸／左右の突き合わせ部に組付けられる１７回転軸組立品を軸として回動することができる。この回転軸の下方には、鉛製の１８ウェイトが胴体内に位置する箇所に取り付けられており、コマセ缶全体の２２水中重心位置となっている。１４ハリス接続ロッド（胴体部ロッド）は、胴体下部に開けられた１０下部スリットを抜け、下方に出た後、後方へ屈曲し１５ハリス接続ロッド（後半部ロッド）と連結、分割するための１９雄ネジが切られている。１５ハリス接続ロッド（後半部ロッド）は、連結側端に２０長ナットが取付けられ、１４ハリス接続ロッド（胴体部ロッド）に連結ができ、後端部にはハリスを繋げられる２１ハリス接続輪が設けられている。
〔動作説明〕
以下に、本考案に関する潜行から浮上までの動作を説明する。
図３−１  準備状態
６尾部開口部より所要量のコマセを入れた後、１１道糸接続ロッドを３垂直ヒレ／上の４上ロッド勘合溝に勘合固定すると、１１道糸接続ロッドに連結された１２ハリス接続ロッド組立品とともに、潜行定位置に固定されることとなる。この状態において、空中で道糸を持ち全体を吊り下げると、１１道糸接続ロッドの１３道糸接続輪の真下に空中全体重心が位置し、やや頭を持ち上げた姿勢となる。
図３−２  投入と潜行状態
水中に投入すると、１２ハリス接続ロッド組立品と接続されたハリスは水抵抗を受け、コマセ缶全体を下方に向ける回転モーメントを発生するが、１１道糸接続ロッド端の１３道糸接続輪は、水中重心位置より胴体上面方向へ設定されているため、コマセ缶全体を上方に向ける回転モーメントを発生する。そのため両回転モーメントは打ち消し合い、その姿勢を保ったまま垂直方向に潜行させることができるよう調整されている。１２ハリス接続ロッド組立品は既存製品の道糸とハリスの糸絡みを避けるテンビン機能を発揮する長さとなっている。この垂直潜行時は、コマセは胴体内に収まったままで水抵抗を受けないため、水中に散布されることは無い。
図３−３  希望水深到着状態
垂直潜行は、道糸の繰り出しを止めることで停止させる。停止すると空中での姿勢とほぼ同様となり安定する。続けて竿を素早く立てると、１１道糸接続ロッドが３垂直ヒレ／上の４上ロッド勘合溝から外れ、１２ハリス接続ロッド組立品は１７回転軸組立品により胴体に対して回動自由となるため、１胴体そのものも回動自由となる。
図３−４  前進浮上状態
竿を立て、道糸が引かれると１胴体は水中で浮上を始めるが、胴体両側に設けられた２左右ヒレは水抵抗を受け、２２水中重心位置に対し尾部を押し下げる回転モーメントを発生するため１胴体は頭を上げて前進し、凧が空中に舞い揚がるが如くの運動を始める。水中に於いては、その姿勢を保ちながら前進浮上することとなる。この時、１２ハリス接続ロッド組立品は、１１道糸接続ロッドにより上方に引かれているため、３垂直ヒレ／下の下辺に設けられた５下ロッド勘合溝に勘合固定される。同時に、１７回転軸組立品に加わった上方向の力は、８支点軸／左右に伝わり柔らかい１胴体の頭部を湾曲変形させ、道糸の引き上げ力に応じた開度で７前端開口部を開くこととなる。７前端開口部からは水が流れ込み、その流入量に応じた量が６尾部開口部から内包しているコマセとともに流れ出ることとなる。
図３−５  前進潜行状態
竿を下げ、道糸を緩めると全体は自重で潜行するが、２左右ヒレおよび１２ハリス接続ロッド組立品の水抵抗で後部を持ち上げる回転モーメントが発生するため、頭を下げて潜行しその結果、２左右ヒレが水抵抗を受け前進運動をすることとなる。この時、８支点軸／左右は無負荷となり７前端開口部はシリコンゴムの弾力性で閉口し、水の流れ込みは無くなりコマセの流出は止まる。この竿の上げ下げにより、全体は波状の前進遊泳を続け、コマセを間欠的に水中に撒布することができ、その散布帯の中にある１２ハリス接続ロッド組立品に繋げられたハリス先の餌などで魚を誘い、釣果が期待できることとなる。この水中遊泳型コマセ缶の水抵抗中心は、２２水中重心位置の後方に位置するため、全体は運動方向に対して安定する特性を持ち、潮流に逆らい前進できること、竿の取り回しで、コマセ缶の深度を変えずハリスを広い平面上で曳き回すことを可能としているのが本考案の最大の特徴である。
図３−６  浮上状態
釣り針に魚が掛かり、道糸を巻き上げると、１胴体は図３−４の前進浮上状態に移行するが、連続して浮上しているため、魚の重さと暴れで１胴体は垂直に近い角度に近付く姿勢となる。１１道糸接続ロッドは道糸に引かれたままであるため、１２ハリス接続ロッド組立品の１６連結部の長輪内を上方に向かって滑動することとなる。この時、竿先から１１道糸接続ロッドの１３道糸接続輪と２２水中重心位置、さらに１２ハリス接続ロッド組立品の２１ハリス接続輪は同一直線上に並び、全体はその姿勢を崩すことなく竿先に目掛けて浮上し魚を釣り上げることができる。浮上直後には、１胴体内に入っている水とともに残ったコマセは流出することとなる。
【考案の詳細な説明】
【考案の概要】
本物品は、釣りの際に魚を誘引し釣果を期待するコマセ缶であるが、従来のコマセ缶には無い水中を釣り人の意思で遊泳させることができる機能を持つ考案である。
【考案が解決しようとする課題】従来のコマセ缶は、主に上下が円錐形の筒状で全面に多数の穴を持つ外観を呈し、釣り竿の上下運動で内部のコマセ（誘引餌）を水中で散布することで、固形物や匂いで魚を誘うことで釣果を期待するものであるが、その散布量調整は難しく、水中での位置は基本的に竿の直下に限られているものである。加えて、さまざまな形態のテンビン（釣り具）の使用も不可欠となっている。
【課題を解決する手段】
本物品は、糸絡みをさせないテンビンの機能を持ち、内包するコマセを潜行途中で散布せずに潜行し、竿の上下の動きをその胴体形状により波状前進遊泳をさせると同時に特定の水深にコマセを散布することができる機能を持ち、ハリス（道糸から分岐する糸）先の釣り餌や疑似餌を曳き廻すことができる機能を有しており、竿先に向けて浮上できる機能も合わせ持たせている。
【考案の効果】
本物品は、水中においてその深度を変えることなくコマセを散布しながら、その散布帯の中で釣り餌や疑似餌を水平方向に広く連続遊泳させることが可能で、従来のコマセ缶では成し得なかった釣果と、新しい釣りの分野を提供できることとなる。
【図面の簡単な説明】
【図１】「外観形状」を示した平面図である。
【図２】「上下外観」を示した斜視図と各部名称図である。
【図３】「各ロッドの動きと状態」を示した平面動作説明図である。
【符号の説明】  １．胴体
２．左右ヒレ
３．垂直ヒレ／上下
４．上ロッド勘合溝
５．下ロッド勘合溝
６．尾部開口部
７．前端開口部
８．支点軸／左右
９．上部開口部
１０．下部スリット
１１．道糸接続ロッド
１２．ハリス接続ロッド組立品
１３．道糸接続輪
１４．ハリス接続ロッド（胴体部ロッド）
１５．ハリス接続ロッド（後半部ロッド）
１６．連結部
１７．回転軸組立品
１８．ウェイト
１９．雄ネジ
２０．長ナット
２１．ハリス接続輪
２２．水中重心位置
【図１】
0003164523.tif 000003
【図２】
0003164523.tif 000004
【図３−１】
0003164523.tif 000005
【図３−２】
0003164523.tif 000006
【図３−３】
0003164523.tif 000007
【図３−４】
0003164523.tif 000008
【図３−５】
0003164523.tif 000009
【図３−６】
0003164523.tif 000010
【手続補正書】
【提出日】平成22年6月2日(2010.6.2)
【手続補正１】
【補正対象書類名】明細書
【補正対象項目名】全文
【補正方法】変更
【補正の内容】
【考案の詳細な説明】
【考案の概要】
本物品は、釣りの際に魚を誘引し釣果を期待するコマセ缶であるが、従来の市販のコマセ缶は水中で釣り糸に吊られた状態であるのに対し、水中を釣り人の意思で遊泳させることができる機能を持つ水中遊泳型コマセ缶である。
【考案が解決しようとする課題】従来のコマセ缶は、主に上下が円錐形の筒状で全面に多数の穴を持つ外観を呈し、釣り竿の上下運動で内部のコマセ（誘引餌）を水中で散布することで、固形物や匂いで魚を誘うことで釣果を期待するものであるが、その散布量調整は難しく、水中での位置は基本的に竿の直下に限られているものである。加えて、さまざまな形態のテンビン（釣り具）の使用も不可欠となっている。
【課題を解決する手段】
本物品は、糸絡みをさせないテンビンの機能を持ち、内包するコマセを潜行途中で散布せずに潜行し、竿の上下の動きをその胴体形状により波状前進遊泳をさせると同時に特定の水深にコマセを散布することができる機能を持ち、ハリス（道糸から分岐する糸）先の釣り餌や疑似餌を曳き廻すことができる機能を有しており、竿先に向けて浮上できる機能も合わせ持たせている。
【考案の効果】
本物品は、水中においてその深度を変えることなくコマセを散布しながら、その散布帯の中で釣り餌や疑似餌を水平方向に広く連続遊泳させることが可能で、従来のコマセ缶では成し得なかった釣果と、新しい釣りの分野を提供できることとなる。
【図面の簡単な説明】
【図１】「外観形状」を示した平面図である。
【図２】「上下外観」を示した斜視図と各部名称図である。
【図３】「各ロッドの動きと状態」を示した平面動作説明図である。
【符号の説明】  １．胴体
２．左右ヒレ
３．垂直ヒレ上下
４．上ロッド勘合溝
５．下ロッド勘合溝
６．尾部開口部
７．前端開口部
８．支点軸左右
９．上部開口部
１０．下部スリット
１１．道糸接続ロッド
１２．ハリス接続ロッド組立品
１３．道糸接続輪
１４．ハリス接続ロッド（胴体部ロッド）
１５．ハリス接続ロッド（後半部ロッド）
１６．連結部
１７．回転軸組立品
１８．ウェイト
１９．雄ネジ
２０．長ナット
２１．ハリス接続輪
２２．水中重心位置
【請求項の動作説明】
図３−１  準備状態
尾部開口部（６）より所要量のコマセを入れた後、道糸接続ロッド（１１）を垂直ヒレ上（３）の上ロッド勘合溝（４）に勘合固定すると、道糸接続ロッド（１１）が連結されたハリス接続ロッド組立品（１２）とともに、潜行定位置に固定されることとなる。この状態において空中で道糸を持ち全体を吊り下げると、道糸接続ロッド（１１）の道糸接続輪（１３）の真下に空中全体重心が位置し、やや頭を持ち上げた姿勢となる。
図３−２  投入と潜行状態
水中に投入すると、ハリス接続ロッド組立品（１２）と接続されたハリスは水抵抗を受けてコマセ缶全体を下面側に向ける回転モーメントを発生するが、道糸接続ロッド（１１）端の道糸接続輪（１３）は、鉛製のウェイト（１８）の水中重心位置の垂線より胴体上面側に設定されており、コマセ缶全体を上面側に向ける回転モーメントが発生するため両回転モーメントは打消し合い、垂直方向に潜行させることができるように調整されているとともに、釣り糸の繰り出し量を調整することで、潜行姿勢を操作することができ、水中到達位置を指定することを可能としている。
ハリス接続ロッド組立品（１２）は既存製品の道糸とハリスの糸絡みを避ける釣り具であるテンビンの機能を発揮する長さとなっており、この潜行時はコマセは胴体内に収まったままで水抵抗を受けないため、水中に散布されることは無い。
図３−３  希望水深到着状態
垂直潜行は、道糸の繰り出しを止めることで停止させる。停止すると空中での姿勢とほぼ同様となり安定するが、続けて竿を素早く立てると、道糸接続ロッド（１１）が垂直ヒレ上（３）の上ロッド勘合溝（４）から外れ、ハリス接続ロッド組立品（１２）は回転軸組立品（１７）を回転軸として胴体に対して回動自由となるため、胴体（１）そのものが水中で垂直潜行時の姿勢から解放される。
図３−４  前進浮上状態
竿を立て、道糸が引かれると胴体（１）は水中で上昇を始めるが、胴体両側に設けられた左右ヒレ（２）は水抵抗を受け、水中重心位置（２２）に対し尾部を押し下げる回転モーメントを発生するため胴体（１）は頭を上げ、水中に於いては、その姿勢を保ちながら前進浮上することとなる。この時、ハリス接続ロッド組立品（１２）は、道糸接続ロッド（１１）により上方に引かれているため、垂直ヒレ下（３）の下ロッド勘合溝（５）に勘合固定されると同時に、回転軸組立品（１７）に加わった上方向の力は支点軸左右（８）に伝わり、シリコンゴム製の柔らかい胴体（１）の頭部を湾曲変形させ、道糸の引き上げ力に応じた開度で前端開口部（７）が開くことで、水が流れ込み、その流入量に応じた量が尾部開口部（６）から胴体（１）に内包しているコマセとともに流れ出ることとなる。
図３−５  前進潜行状態
竿を下げ、道糸を緩めるとコマセ缶全体は自重で潜行するが、左右ヒレ（２）およびハリス接続ロッド組立品（１２）の水抵抗で後部を持ち上げる回転モーメントが発生するため頭を下げて潜行し、その結果、前進運動をすることとなる。この時、支点軸左右（８）は無負荷となり、前端開口部（７）はシリコンゴムの弾力性により閉口し、水の流入は止まりコマセの流出も止まる。この竿の上げ下げにより、このコマセ缶は波状の前進遊泳を続け、コマセを間欠的に水中に散布することができ、ハリス接続ロッド組立品（１２）に繋げられたハリス先の餌などはその散布帯の中を生餌のように前進し、水中で固定された従来の市販コマセ缶にない釣果が期待できることとなる。
この水中遊泳型コマセ缶の水抵抗中心は、水中重心位置（２２）の後方に位置するため、前進運動方向に対して安定する特性を持ち、潮流に逆らい前進できること、竿の取り回しで、その深度を変えずハリスを広い平面上で曳き回すことを可能としている。
図３−６  浮上状態
釣り針に魚が掛かり道糸を巻き上げると、胴体（１）は図３−４の前進浮上状態に移行するが、連続して浮上しているため、魚の重さと暴れで胴体（１）は垂直に近い角度に近付く姿勢となるが、道糸接続ロッド（１１）は、道糸に引かれたままであるため、ハリス接続ロッド組立品（１２）の連結部（１６）の長輪内を上方に向かって滑動することとなる。この時、竿先から道糸接続ロッド（１１）の道糸接続輪（１３）と、水中重心位置（２２）、ハリス接続ロッド組立品（１２）のハリス接続輪（２１）は同一線上に並び、全体はその姿勢を崩すことなく竿先に目掛けて浮上し、魚を釣り上げることができる。浮上直後には、胴体（１）内に入っている水とともに残っていたコマセは流出することとなる。
【手続補正２】
【補正対象書類名】実用新案登録請求の範囲
【補正対象項目名】全文
【補正方法】変更
【補正の内容】
【実用新案登録請求の範囲】
従来の市販コマセ缶は、上下が円錐形の筒状で全面に多数の穴を持つ外観で、水中においては釣り糸に吊るされた状態であるのに対し、このコマセ缶の胴体（１）は平たい魚に似せた外観を呈し、組込まれた各部品の動きにより、釣り竿の上下の動きを水中で前進する力に変換し、波状前進遊泳できることを可能としたものである。
胴体（１）は、柔軟性のあるシリコンゴム製で水平断面方向、垂直断面方向とも対称形を呈し、水中においては自ら安定姿勢を保つ特性を持っており、左右両側には水中抵抗を前進力に変換することができる左右ヒレ（２）が設けられ、左右方向の安定性も確保している。また胴体（１）の上下面には、上下対称形の垂直ヒレ（３）が設けられて方向安定性を確保しており、それぞれの上縁と下縁には、道糸接続ロッド（１１）とハリス接続ロッド胴体部ロッド（１４  以下ハリス接続ロッド胴体部と表記）を勘合固定のできる、上ロッド勘合溝（４）および下ロッド勘合溝（５）が設けられている。胴体（１）の内部は空洞で、前端には前端開口部（７）があり、尾部には尾部開口部（６）が設けられており、前上方部の肉厚内には支点軸左右（８）が左右対称形の一対で埋め込まれ、中央部で突き合わされている。釣り糸による上向きの力は、この支点軸左右（８）に伝わり、胴体（１）の素材であるシリコンゴムの柔軟性により前端開口部（７）は開口され、無負荷時は閉口している。支点軸左右（８）の突き合わせ位置には上部開口部（９）があり、ハリス接続ロッド胴体部（１４）に組込まれた回転軸組立品（１７）の取付位置となっており、ハリス接続ロッド胴体部（１４）が取付けられると、胴体（１）の下部にある下部スリット（１０）を下へ抜ける状態となり、下端の雄ネジ（１９）にハリス接続ロッド後半部ロッド（１５  以下ハリス接続ロッド後半部と表記）が長ナット（２０）を介して、ハリス接続ロッド胴体部（１４）と連結でき、ハリス接続ロッド組立品（１２）を構成している。ハリス接続ロッド胴体部（１４）の長輪状の連結部（１６）には、道糸接続ロッド（１１）が前後方向に滑動し、かつ前後左右に自由に動けるように連結されており、回転軸組立品（１７）の下部には、鉛製のウェイト（１８）が胴体内に位置する箇所に取り付けられており、このコマセ缶全体の水中重心位置（２２）となっている。道糸接続ロッド（１１）の上端には、道糸接続輪（１３）があり、道糸を繋ぐことができ、ハリス接続ロッド後半部（１５）の後端には、ハリス接続輪（２１）が設けられており、釣り針の付いたハリスを繋ぐことができる。
このコマセ缶は、胴体（１）の形状と上記の各部品の組合せにより、釣り竿の上下の動きを水中で波状の前進遊泳ができる水中遊泳型コマセ缶である。
【手続補正書】
【提出日】平成22年9月17日(2010.9.17)
【手続補正１】
【補正対象書類名】実用新案登録請求の範囲
【補正対象項目名】全文
【補正方法】変更
【補正の内容】
【実用新案登録請求の範囲】
【請求項１】
この水中遊泳型コマセ缶の胴体（１）は、平たい魚に似せた外観を呈する柔軟性のあるシリコンゴム製で、胴体（１）の中心線を通る水平断面形状および垂直断面形状とも中心線に対して対称形で、左右両外側に向けて垂直断面は薄くなり左右ヒレ（２）となり、胴体（１）の上下面には垂直ヒレ（３）が設けられており、それぞれの上縁および下縁には、道糸接続ロッド（１１）と、ハリス接続ロッド組立品（１２）を勘合固定のできる上ロッド勘合溝（４）および下ロッド勘合溝（５）が設けられ、胴体（１）の内部は空洞で、前端には前端開口部（７）があり、後端には尾部開口部（６）が設けられ、胴体（１）の前上方部の肉厚内には支点軸左右（８）が別部品の左右対称形一対で埋め込まれ中央部で突き合わされており、胴体（１）のこの位置には上部開口部（９）があり、ハリス接続ロッド組立品（１２）に組込まれた回転部組立品（１７）の取付位置となり、このハリス接続ロッド組立品（１２）は、胴体（１）に組立られた際は、回転部組立品（１７）を回転軸として、胴体（１）の下部にある下部スリット（１０）を下へ抜け、このスリット形状の範囲内で前後方向に回動自由となり、雄ネジ（１９）と、長ナット（２０）を介して、ハリス接続ロッド胴体部（１４）と、ハリス接続ロッド後半部（１５）に分割でき、ハリス接続ロッド胴体部（１４）上端の長輪状の連結部（１６）には、道糸接続ロッド（１１）が前後方向に滑動し、上下左右に自由に動けるように連結されており、上端には道糸接続輪（１３）があり、道糸を繋ぐことができ、ハリス接続ロッド後半部（１５）の後端には、ハリス接続輪（２１）が設けられており、釣り針の付いたハリスを繋ぐことができ、ハリス接続ロッド胴体部（１４）には、鉛製のウェイト（１８）取付けられており、胴体（１）の形状と上記の各部品の組合せを持つ水中遊泳型コマセ缶である。
【手続補正２】
【補正対象書類名】明細書
【補正対象項目名】全文
【補正方法】変更
【補正の内容】
【考案の詳細な説明】
【考案の概要】
本物品は、釣りの際に魚を誘引し釣果を期待するコマセ缶であるが、従来の市販のコマセ缶は水中で釣り糸に吊られた状態であるのに対し、水中を釣り人の意思で遊泳させることができる機能を持つ水中遊泳型コマセ缶である。
【考案が解決しようとする課題】
従来のコマセ缶は、主に上下が円錐形の筒状で全面に多数の穴を持つ外観を呈し、釣り竿の上下運動で内部のコマセ（誘引餌）を水中で散布することで、固形物や匂いで魚を誘うことで釣果を期待するものであるが、その散布量調整は難しく、水中での位置は基本的に竿の直下に限られているものである。加えて、投入の際に糸絡みをさせないさまざまな形態のテンビン（釣り具）の使用も不可欠となっている。
【課題を解決する手段】
本物品は、糸絡みをさせないテンビンの機能を持ち、内包するコマセを潜行途中で散布せずに潜行し、竿の上下の動きをその胴体形状により波状前進遊泳をさせると同時に特定の水深にコマセを散布することができる機能を持ち、ハリス（道糸から分岐する糸）先の釣り餌や疑似餌を曳き廻すことができる機能を有しており、竿先に向けて浮上できる機能も合わせ持たせている。
【考案の効果】
本物品は、水中においてその深度を変えることなくコマセを散布しながら、その散布帯の中で釣り餌や疑似餌を水平方向に広く連続遊泳させることが可能で、従来のコマセ缶では成し得なかった釣果と、新しい釣りの分野を提供できることとなる。
【図面の簡単な説明】
【図１】「外観形状」を示した平面図である。
【図２】「上下外観」を示した斜視図と各部名称図である。
【図３】「各ロッドの動きと状態」を示した平面動作説明図である。
【符号の説明】  １．胴体  ２．左右ヒレ  ３．垂直ヒレ上下  ４．上ロッド勘合溝  ５．下ロッド勘合溝  ６．尾部開口部  ７．前端開口部  ８．支点軸左右  ９．上部開口部１０．下部スリット１１．道糸接続ロッド１２．ハリス接続ロッド組立品１３．道糸接続輪１４．ハリス接続ロッド胴体部１５．ハリス接続ロッド後半部１６．連結部１７．回転部組立品１８．ウェイト１９．雄ネジ２０．長ナット２１．ハリス接続輪２２．水中重心位置〔請求項の動作説明〕図３−１  準備状態尾部開口部（６）より所要量のコマセを入れた後、道糸接続ロッド（１１）を垂直ヒレ上（３）の上ロッド勘合溝（４）に勘合固定すると、道糸接続ロッド（１１）が連結されたハリス接続ロッド組立品（１２）とともに、潜行定位置に固定されることとなる。この状態において空中で道糸を持ち全体を吊り下げると、道糸接続ロッド（１１）の道糸接続輪（１３）の真下に空中全体重心が位置し、やや頭を持ち上げた姿勢となる。図３−２  投入と潜行状態水中に投入すると、ハリス接続ロッド組立品（１２）と接続されたハリスは水抵抗を受けてコマセ缶全体を下面側に向ける回転モーメントを発生するが、道糸接続ロッド（１１）端の道糸接続輪（１３）は、鉛製のウェイト（１８）の水中重心位置の垂線より胴体上面側に設定されており、コマセ缶全体を上面側に向ける回転モーメントが発生するため両回転モーメントは打消し合い、垂直方向に潜行させることができるように調整されているとともに、釣り糸の繰り出し量を調整することで、潜行姿勢を操作することができ、水中到達位置を指定することを可能としている。ハリス接続ロッド組立品（１２）は既存製品の道糸とハリスの糸絡みを避ける釣り具であるテンビンの機能を発揮する長さとなっており、この潜行時はコマセは胴体内に収まったままで水抵抗を受けないため、水中に散布されることは無い。図３−３  希望水深到着状態垂直潜行は、道糸の繰り出しを止めることで停止させる。停止すると空中での姿勢とほぼ同様となり安定するが、続けて竿を素早く立てると、道糸接続ロッド（１１）が垂直ヒレ上（３）の上ロッド勘合溝（４）から外れ、ハリス接続ロッド組立品（１２）は回転軸組立品（１７）を回転軸として胴体に対して回動自由となるため、胴体（１）そのものが水中で垂直潜行時の姿勢から解放される。図３−４  前進浮上状態竿を立て、道糸が引かれると胴体（１）は水中で上昇を始めるが、胴体両側に設けられた左右ヒレ（２）は水抵抗を受け、水中重心位置（２２）に対し尾部を押し下げる回転モーメントを発生するため胴体（１）は頭を上げ、水中に於いては、その姿勢を保ちながら前進浮上することとなる。この時、ハリス接続ロッド組立品（１２）は、道糸接続ロッド（１１）により上方に引かれているため、垂直ヒレ下（３）の下ロッド勘合溝（５）に勘合固定されると同時に、回転軸組立品（１７）に加わった上方向の力は支点軸左右（８）に伝わり、シリコンゴム製の柔らかい胴体（１）の頭部を湾曲変形させ、道糸の引き上げ力に応じた開度で前端開口部（７）が開くことで、水が流れ込み、その流入量に応じた量が尾部開口部（６）から胴体（１）に内包しているコマセとともに流れ出ることとなる。図３−５  前進潜行状態竿を下��、道糸を緩めるとコマセ缶全体は自重で潜行するが、左右ヒレ（２）およびハリス接続ロッド組立品（１２）の水抵抗で後部を持ち上げる回転モーメントが発生するため頭を下げて潜行し、その結果、前進運動をすることとなる。この時、支点軸左右（８）は無負荷となり、前端開口部（７）はシリコンゴムの弾力性により閉口し、水の流入は止まりコマセの流出も止まる。この竿の上げ下げにより、このコマセ缶は波状の前進遊泳を続け、コマセを間欠的に水中に散布することができ、ハリス接続ロッド組立品（１２）に繋げられたハリス先の餌などはその散布帯の中を生餌のように前進し、水中で固定された従来の市販コマセ缶にない釣果が期待できることとなる。この水中遊泳型コマセ缶の水抵抗中心は、水中重心位置（２２）の後方に位置するため、前進運動方向に対して安定する特性を持ち、潮流に逆らい前進できること、竿の取り回しで、その深度を変えずハリスを広い平面上で曳き回すことを可能としている。図３−６  浮上状態釣り針に魚が掛かり道糸を巻き上げると、胴体（１）は図３−４の前進浮上状態に移行するが、連続して浮上しているため、魚の重さと暴れで胴体（１）は垂直に近い角度に近付く姿勢となるが、道糸接続ロッド（１１）は、道糸に引かれたままであるため、ハリス接続ロッド組立品（１２）の連結部（１６）の長輪内を上方に向かって滑動することとなる。この時、竿先から道糸接続ロッド（１１）の道糸接続輪（１３）と、水中重心位置（２２）、ハリス接続ロッド組立品（１２）のハリス接続輪（２１）は同一線上に並び、全体はその姿勢を崩すことなく竿先に目掛けて浮上し、魚を釣り上げることができる。浮上直後には、胴体（１）内に入っている水とともに残っていたコマセは流出することとなる。